(57)【要約】【課題】構造が簡単、肉薄で、丸洗い可能で安全かつ衛生的な便座を備えた便座装置を提供する。【解決手段】本便座装置は、無接触電力伝送手段の送電側を構成し、かつ外部から給電され、便座装置の本体に内設された一次側平板状空芯コイルと、無接触電力伝送手段の受電側を構成し、一次側空芯コイルに対向して便座装置の便座に内設された二次側平板状空芯コイルと、この二次側平板状空芯コイルから給電され、かつ便座を加熱するためにこの便座に内設されたヒータを備える。【選択図】  図２
2008036133.tif 000002
【特許請求の範囲】
【請求項１】
無接触電力伝送手段の送電側を構成し、かつ外部から給電され、便座装置の本体に内設された一次側平板状空芯コイルと、
前記無接触電力伝送手段の受電側を構成し、かつ前記一次側空芯コイルに対向して便座装置の便座に内設された二次側平板状空芯コイルと、
この二次側平板状空芯コイルから給電され、かつ前記便座を加熱するためにこの便座に内設されたヒータを備えることを特徴とする便座装置。
【請求項２】
前記一次側平板状空芯コイルは前記本体に設けられた本体傾斜部の裏面に設けられ、前記二次側平板状空芯コイルは前記便座が前記本体に取り付けられた状態で前記本体傾斜部に当接する前記便座の便座傾斜部の裏面に設けられることを特徴とする請求項１に記載の便座装置。
【請求項３】
前記一次側平板状空芯コイルは前記本体に設けられた本体ヒンジ部近傍の裏面に設けられ、前記二次側平板状空芯コイルは前記便座の便座ヒンジ部近傍の裏面に設けられることを特徴とする請求項１に記載の便座装置。
【請求項４】
前記便座には前記ヒータへの通電を検知する通電検知センサー及びこの通電検知センサーからの通電情報を信号化して前記本体側に送信する信号発生送信部が内設され、前記本体には前記信号発生送信部からの通電検知信号を受信する信号受信部が内設されることを特徴とする請求項１ないし３のいずれか１項に記載の便座装置。
【請求項５】
前記便座には前記便座の温度を検知する便座温度検知センサー及びこの便座温度検知センサーからの温度情報を信号化して前記本体側に送信する信号発生送信部が内設され、前記本体には前記信号発生送信部からの温度検知信号を受信する信号受信部が内設されることを特徴とする請求項１ないし４のいずれか１項に記載の便座装置。
【発明の詳細な説明】
【技術分野】
【０００１】
本発明は便座装置に係り、特に電気回路が設けられた便座を取り外し可能にした便座装置に関する。
【背景技術】
【０００２】
従来、使用時の快適性向上のために、便座装置の便座にヒータ等を内設したものが用いられている。
【０００３】
一方、使用が継続されると、便座が汚れるため、衛生上の点から丸洗いできるように、便座装置本体から取り外すことができることが求められている。
【０００４】
しかしながら、従来の便座は、便座に設けたヒータ等に外部から配線を介して給電されているため、配線が邪魔になり便座を便座装置本体から取り外すことが困難である問題があった。
【０００５】
なお、上記問題を解決するために、便座内に設けたヒータに接続された２次側コイルに２次側鉄心を着脱自由に貫挿する便座装置が提案されている（特許文献１）。
【０００６】
しかし、特許文献１にものは、構造が複雑になることに加えて、ボビン状コイルを用いるために便座が肉厚になり、さらに、便座の洗浄時２次側鉄心の挿通孔から洗浄水が侵入し危険であるなどの問題がある。
【特許文献１】特開平５−１７６８８７号公報
【発明の開示】
【発明が解決しようとする課題】
【０００７】
本発明は上述した事情を考慮してなされたもので、構造が簡単、肉薄で、丸洗い可能で安全かつ衛生的な便座を備えた便座装置を提供することを目的とする。
【課題を解決するための手段】
【０００８】
上述した目的を達成するため、本発明に係る便座装置は、無接触電力伝送手段の送電側を構成し、かつ外部から給電され、便座装置の本体に内設された一次側平板状空芯コイルと、前記無接触電力伝送手段の受電側を構成し、かつ前記一次側空芯コイルに対向して便座装置の便座に内設された二次側平板状空芯コイルと、この二次側平板状空芯コイルから給電され、かつ前記便座を加熱するためにこの便座に内設されたヒータを備えることを特徴とする。
【発明の効果】
【０００９】
本発明に係る便座装置によれば、構造が簡単、肉薄で、丸洗い可能で安全かつ衛生的な便座を備えた便座装置を提供することができる。
【発明を実施するための最良の形態】
【００１０】
本発明の一実施形態に係る便座装置について添付図面を参照して説明する。
【００１１】
図１は本発明の一実施形態の便座装置の斜視図、図２はその分解図、本発明の一実施形態の便座装置に組み込まれる局部洗浄装置の概念図である。
【００１２】
図１〜図３に示すように、本実施形態に係る便座装置１は便器２に装着されて使用され、便座装置１は箱状の本体３と、この本体３に軸着され便器２に載置される便座４と、便座４に軸着され便座４上に開閉自由に設けられる便座蓋５を備える。
【００１３】
本体３と便座４の軸着は、一側では本体３に設け本体ヒンジ部をなす本体軸孔３ａと便座４に設け便座ヒンジ部をなす便座軸部４ａとの係合、便座４と便座蓋５との軸着は便座軸部４ａと便座蓋５に設けた蓋軸部５ａを係合することによって行い、他側では、便座蓋５に設けた蓋軸貫通孔５ｂ、便座４に設けた便座軸貫通孔４ｃを貫通し、本体３に設け本体ねじ部３ｂに螺合する軸ねじ４ｄによって、便座４及び便座蓋５は本体３に着脱自由に取り付けられる。
【００１４】
本体３には局部洗浄装置６が内装され、電磁開閉弁７を介して外部から供給される給水を加熱する加熱装置（図示せず）を設けた湯タンク８と、加熱された洗浄水の流量を調節する流量調整バルブ９、この流量調整バルブ９からの洗浄水を人体の局部に噴出する洗浄ノズル１０と、この洗浄ノズル１０をノズルシリンダ１１内で進退させるノズル進退機構１２から構成される。
【００１５】
さらに、本体３には操作パネル１３が設けられ、操作パネル１３は電気的構成要素を制御するスイッチ組立（図示せず）を覆い、スイッチに対応してその機能をアイコンあるいは文字により表示する洗浄ボタン１４ａ、停止ボタン１４ｂなどを設けた操作銘板１４を備える。
【００１６】
図４に示すように、便座装置１は無接点電力伝送・制御回路１５を備える。
【００１７】
この無接点電力伝送・制御回路１５の送電側は本体３に内設されており、外部電源１６に接続される電源部１７、この電源部１７に接続される制御回路１８、この制御回路１８に接続され、２個の一次側平板状空芯コイル１９、１９を備えた電力送信部２０、制御回路１８に接続され、信号受信素子２１ａを備えた信号受信部２１、電源部１７に接続されるノズル進退機構１２、電磁開閉弁７を備える。
【００１８】
一方、無接点電力伝送・制御回路１５の受電側は便座４に水密的に内設されており、２個の二次側平板状空芯コイル２２ａ、２２ｂが設けられ、空芯コイル２２ａにはヒータ２３ａと、このヒータ２３ａと並列に制御用電源部２４が接続され、空芯コイル２２ｂにはヒータ２３ｂが接続される。また、制御用電源部１７には、信号発生発信部２５が接続され、この信号発生発信部２５には、温度センサー２６、２個の通電センサー２７、２７が接続される。
【００１９】
一次側平板状空芯コイル１９は、絶縁処理された細線が平板リング状に巻線され、本体３に設けられた本体傾斜部３ｃの裏面に取り付けられ、さらに、信号受信用コイル２１ａは、本体側ヒンジ部３ａ近傍に設けられる。
【００２０】
また、二次側平板状空芯コイル２２ａ，２２ｂも絶縁処理された細線が平板リング状に巻線され、便座４が本体３に取り付けられた状態で本体傾斜部３ｂに当接する便座傾斜部４ｄの裏面に設けられており、さらに、信号発信素子２５ａが便座ヒンジ部をなす便座軸部４ａ近傍に設けられ、信号受信素子２１ａが本体ヒンジ部をなす本体軸孔３ａ近傍に設けられる。
【００２１】
なお、図中、符号２８は本体３の裏面に便座４方向に面して設けた着座センサーであり、使用者の着座、離座を検知する。
【００２２】
次に、便座装置１の使用方法について説明する。
【００２３】
図１に示すように、通常時は便座４は本体３に、便座蓋５は便座４に軸着され、図２に示す本体傾斜部３ｃと便座傾斜部４ｄは当接した状態になっており、
図２及び図３に示す一次側平板状空芯コイル１９を励起させることで、二次側平板状空芯コイル２２ａ、２２ｂに電流を生じさせ、ヒータ２３ａ、２３ｂに給電し、便座４を温める。
【００２４】
このとき、ヒータ２３ａ、２３ｂへの通電は通電センサー２７により検知され、さらに、便座４の温度は温度センサー２６によって検知されて、通電情報信号、温度情報信号として、信号発信素子２５ａ、信号受信素子２１ａを介して、信号受信部２１送信され、さらに、制御回路１８に送信され、制御回路１８により電力制御など必要な制御がなされる。
【００２５】
局部洗浄装置６を用いた局部洗浄が長期間行われ、便座４の洗浄が必要になった場合には、軸ねじ４ｃを外し、便座４、便座蓋５を本体３から取り外し、便座４、便座蓋５を丸洗いする。丸洗時、受電側の電気的構成要素は便座４に水密的に内設されているので、便座４への浸水がなく、受電側の電気的構成要素の劣化はなく、安全である。
【００２６】
便座４にはヒータ２３ａ、２３ｂへの通電を検知する通電検知センサー２７及びこの通電検知センサー２７からの通電情報を信号化して本体側に送信する信号発生発信部２５が内設され、本体３には信号発生発信部２５からの通電検知信号を受信する信号受信部２１が内設されるので、リード線を設ける必要がなく、便座４、便座蓋５を本体３から取り外し、便座４、便座蓋５を丸洗いすることができる。
【００２７】
さらに、便座４にはこの便座４の温度を検知する便座温度検知センサー２６及びこの便座温度検知センサー２６からの温度情報を信号化して本体側に送信する信号発生発信部２５が内設され、本体３には信号発生発信部２５からの温度検知信号を受信する信号受信部２１が内設されるので、リード線を設ける必要がなく、便座４、便座蓋５を本体３から取り外し、便座４、便座蓋５を丸洗いすることができる。
【００２８】
なお、上記実施形態では、一次側平板状空芯コイルを本体傾斜部の裏面に取り付け、二次側平板状空芯コイルを便座傾斜部に取り付ける例で説明したが、図５に示すように、一次側平板状空芯コイル１９を本体ヒンジ部近傍の裏面に、二次側平板状空芯コイル２２を便座４の便座ヒンジ部近傍の裏面に設けるようにしても、同様の効果が実現される。
【００２９】
本実施形態の便座によれば、構造が簡単、肉薄で、丸洗い可能で安全かつ衛生的な便座を備えた便座装置が実現される。
【図面の簡単な説明】
【００３０】
【図１】本発明の一実施形態の局部洗浄装置を組み込んだ便座装置の斜視図。
【図２】本発明の一実施形態の局部洗浄装置を組み込んだ便座装置の分解図。
【図３】本発明の一実施形態の局部洗浄装置の斜視図。
【図４】本発明の一実施形態の局部洗浄装置に用いる無接点電力伝送・制御回路図。
【図５】本発明の他の実施形態の局部洗浄装置に用いる空芯コイルの取り付け状態を示す斜視図。
【符号の説明】
【００３１】
１  便座装置
２  便器
３  本体
３ａ  本体軸孔
３ｂ  本体ねじ部
３ｃ  本体傾斜部
４  便座
４ａ  便座軸部
４ｂ  便座軸貫通孔
４ｃ  軸ねじ
４ｄ  便座傾斜部
５  便座蓋
５ａ  蓋軸部
５ｂ  軸貫通孔
６  局部洗浄装置
８  湯タンク
１０  洗浄ノズル
１１  ノズルシリンダ
１２  ノズル進退機構
１５  無接点電力伝送・制御回路
１９  一次側平板状空芯コイル
２０  電力送信部
２１  信号受信部
２１ａ  信号受信素子
２２ａ、２２ｂ  二次側平板状空芯コイル
２３ａ、２３ｂ  ヒータ
２５  信号発生発信部
２５ａ  信号発信素子
２６  温度センサー
２７  通電センサー
【図１】
2008036133.tif 000003
【図２】
2008036133.tif 000004
【図３】
2008036133.tif 000005
【図４】
2008036133.tif 000006
【図５】
2008036133.tif 000007